(57)【要約】【課題】  客観的な評価と主観的な評価とを同時に行って、人間の知覚を使いながらばらつきが少ない正確な評価を行うことが可能な圧縮映像情報の品質評価支援装置および品質評価支援プログラムを提供する。【解決手段】  オリジナル映像と、オリジナル映像をエンコーダａ，ｂで圧縮して得られた圧縮映像情報Ａ，Ｂを再生した再生映像とを比較して、圧縮映像情報の品質を評価するのに用いられる圧縮映像情報の品質評価支援装置において、ディスプレイ２と、圧縮映像情報Ａ，Ｂを再生してディスプレイ２の一部に表示させる圧縮映像再生手段Ｐ１と、圧縮映像再生手段Ｐ１により再生されている再生映像とオリジナル映像とをリアルタイムに比較するとともに、比較の結果をリアルタイムにディスプレイ２の一部に表示させる映像比較手段Ｐ３とを備える。【選択図】          図１
2006166130.tif 000002
【特許請求の範囲】
【請求項１】
オリジナル映像と、該オリジナル映像をエンコーダで圧縮して得られた圧縮映像情報を再生した再生映像とを比較して、圧縮映像情報の品質を評価するのに用いられる圧縮映像情報の品質評価支援装置において、
ディスプレイと、
前記圧縮映像情報を再生して前記ディスプレイの一部に表示させる圧縮映像再生手段と、
該圧縮映像再生手段により再生されている再生映像と前記オリジナル映像とをリアルタイムに比較するとともに、該比較の結果をリアルタイムに前記ディスプレイの一部に表示させる映像比較手段とを備えることを特徴とする圧縮映像情報の品質評価支援装置。
【請求項２】
前記オリジナル映像および前記再生映像は動画であることを特徴とする請求項１記載の圧縮映像情報の品質評価支援装置。
【請求項３】
前記再生映像と前記オリジナル映像との同期タイミングを、ユーザーが設定可能な同期設定手段を備え、
前記映像比較手段は、前記同期設定手段による同期タイミングの設定変更にリアルタイムに追随して、該設定がなされた前記再生映像と前記オリジナル映像とを比較するとともに該比較の結果を前記ディスプレイの一部に表示させることを特徴とする請求項２記載の圧縮映像情報の品質評価支援装置。
【請求項４】
前記オリジナル映像および前記再生映像のうちの少なくとも一方の、前記比較の対象となる画郭を、ユーザーが設定可能な画郭設定手段を備え、
前記映像比較手段は、前記画郭設定手段による前記画郭の設定変更にリアルタイムに追随して、画郭内の前記再生映像と前記オリジナル映像とを比較するとともに該比較の結果を前記ディスプレイの一部に表示させることを特徴とする請求項１〜３のうちのいずれか一項記載の圧縮映像情報の品質評価支援装置。
【請求項５】
前記オリジナル映像および前記再生映像のうちの少なくとも一方の、輝度、明度および色彩のうちの少なくとも一つを、ユーザーが設定可能な輝度・明度・色彩設定手段を備え、
前記映像比較手段は、前記輝度・明度・色彩設定手段による前記輝度、明度および色彩のうちの少なくとも一つの設定変更に、リアルタイムに追随して、該設定がなされた前記再生映像と前記オリジナル映像とを比較するとともに該比較の結果を前記ディスプレイの一部に表示させることを特徴とする請求項１〜４のうちのいずれか一項記載の圧縮映像情報の品質評価支援装置。
【請求項６】
前記オリジナル映像を、前記圧縮映像再生手段による前記圧縮映像情報の再生と同時に、前記ディスプレイの一部に表示させるオリジナル映像表示手段を備えることを特徴とする請求項１〜５のうちのいずれか一項記載の圧縮映像情報の品質評価支援装置。
【請求項７】
前記映像比較手段は、前記再生映像と前記オリジナル映像との輝度、明度および色彩のうちの一つをピクセル単位で比較し、各ピクセルの輝度、明度および色彩のうちの少なくとも一つの違いを、前記比較の結果を表示する前記ディスプレイ上における、対応する所定のピクセルの輝度、明度および色彩のうちの少なくとも一つの違いにより表示させることができるよう設けられていることを特徴とする請求項１〜６のうちのいずれか一項記載の圧縮映像情報の品質評価支援装置。
【請求項８】
前記映像比較手段は、前記再生映像および前記オリジナル映像を構成する原色毎に、映像の比較をすることができるよう設けられていることを特徴とする請求項１〜７のうちのいずれか一項記載の圧縮映像情報の品質評価支援装置。
【請求項９】
オリジナル映像と、該オリジナル映像をエンコーダで圧縮して得られた圧縮映像情報を再生した再生映像とを比較して、圧縮映像情報の品質を評価するのに用いられ、
ディスプレイを有するコンピュータに読み取り可能な圧縮映像情報の品質評価支援プログラムにおいて、
前記圧縮映像情報を再生して前記ディスプレイの一部に表示させる圧縮映像再生機能と、
該圧縮映像再生機能により再生されている再生映像と前記オリジナル映像とをリアルタイムに比較するとともに、該比較の結果をリアルタイムに前記ディスプレイの一部に表示させる映像比較機能とを、コンピュータに実現させることを特徴とする圧縮映像情報の品質評価支援プログラム。
【請求項１０】
前記オリジナル映像および前記再生映像は動画であることを特徴とする請求項９記載の圧縮映像情報の品質評価支援プログラム。
【請求項１１】
前記再生映像と前記オリジナル映像との同期タイミングを、ユーザーが設定可能な同期設定機能を、コンピュータに実現させ、
前記映像比較機能は、前記同期設定機能による同期タイミングの設定変更にリアルタイムに追随して、該設定がなされた前記再生映像と前記オリジナル映像とを比較するとともに該比較の結果を前記ディスプレイの一部に表示させることを特徴とする請求項１０記載の圧縮映像情報の品質評価支援プログラム。
【請求項１２】
前記オリジナル映像および前記再生映像のうちの少なくとも一方の、前記比較の対象となる画郭を、ユーザーが設定可能な画郭設定機能を、コンピュータに実現させ、
前記映像比較機能は、前記画郭設定機能による前記画郭の設定変更にリアルタイムに追随して、画郭内の前記再生映像と前記オリジナル映像とを比較するとともに該比較の結果を前記ディスプレイの一部に表示させることを特徴とする請求項９〜１１のうちのいずれか一項記載の圧縮映像情報の品質評価支援プログラム。
【請求項１３】
前記オリジナル映像および前記再生映像のうちの少なくとも一方の輝度、明度および色彩のうちの少なくとも一つを、ユーザーが設定可能な輝度・明度・色彩設定機能を、コンピュータに実現させ、
前記映像比較機能は、前記輝度・明度・色彩設定機能による前記輝度、明度および色彩のうちの少なくとも一つの設定変更にリアルタイムに追随して、該設定がなされた前記再生映像と前記オリジナル映像とを比較するとともに該比較の結果を前記ディスプレイの一部に表示させることを特徴とする請求項９〜１２のうちのいずれか一項記載の圧縮映像情報の品質評価支援プログラム。
【請求項１４】
前記オリジナル映像を、前記圧縮映像再生機能による前記圧縮映像情報の再生と同期させて、前記ディスプレイの一部に表示させるオリジナル映像表示機能を、コンピュータに実現させることを特徴とする請求項９〜１３のうちのいずれか一項記載の圧縮映像情報の品質評価支援プログラム。
【請求項１５】
前記映像比較機能は、前記再生映像と前記オリジナル映像との輝度、明度および色彩のうちの少なくとも一つをピクセル単位で比較し、各ピクセルの輝度、明度および色彩のうちの少なくとも一つの違いを、前記比較の結果を表示する前記ディスプレイ上における、対応する所定のピクセルの輝度、明度および色彩のうちの少なくとも一つの違いにより表示させることができるよう設けられていることを特徴とする請求項９〜１４のうちのいずれか一項記載の圧縮映像情報の品質評価支援プログラム。
【請求項１６】
前記映像比較機能は、前記再生映像および前記オリジナル映像を構成する原色毎に、映像の比較をすることができるよう設けられていることを特徴とする請求項９〜１５のうちのいずれか一項記載の圧縮映像情報の品質評価支援プログラム。
【発明の詳細な説明】
【技術分野】
【０００１】
本発明は、オリジナル映像と、オリジナル映像をエンコーダで圧縮して得られた圧縮映像情報を再生した再生映像とを比較して、圧縮映像情報の品質を評価するのに用いられる、圧縮映像情報の品質評価支援装置および品質評価支援プログラムに関する。
【背景技術】
【０００２】
近年、ＤＶＤ等の媒体に映像情報を記録したり、インターネット等を通じて映像情報をやり取りしたりするために、映像情報の圧縮技術が種々開発されている。代表的な圧縮技術としては、ＭＰＥＧ，ＭＰＥＧ２等が広く知られている。
それに伴い、オリジナル映像を、例えばＭＰＥＧ２規格の圧縮映像情報（ＭＰＥＧ２ファイル等）へと変換するソフトウェア、いわゆるエンコーダも種々開発されている。
【０００３】
ところで、例えば同じＭＰＥＧ２規格に映像を圧縮するＭＰＥＧ２エンコーダであっても、各エンコーダ毎に、圧縮後の圧縮映像情報の画質は様々である。したがって、エンコーダを使用する上では、各エンコーダの品質を精査して、より高い品質の、または、より用途目的に適したエンコーダを使用することが望ましい。
【０００４】
従来より、エンコーダで圧縮した圧縮映像情報を再生した再生映像と、圧縮前のオリジナル映像とを比較して、画像の劣化の度合い等を調べることによって、圧縮映像情報の品質、すなわちエンコーダの品質を調べることが行われている。
【０００５】
特許文献１には、符号化される前の映像信号（オリジナル映像）と、符号化され復号化された映像信号とを選択的に切り替えて、同一の出力回路から出力可能な、映像信号符号化／復号化装置が記載されている。また、特許文献１には、画面の半分に符号化前の映像を、もう半分には符号化後の映像を表示させることが記載されている（特許文献１  段落００３０−００３２）。
これにより、オリジナル映像と圧縮後の映像とを、同一のモニタに、択一的にまたは同時に映し出すことができるため、それぞれの映像を別々のモニタに写す場合に比較して、モニタの個体差等の要因を排除して両者の画質の比較を正確に行えるものとしている。
【０００６】
特許文献１記載の映像信号の評価方法においては、評価者が映像を見てその品質を評価するものであるから、評価結果は評価者（人）の主観に左右される。
評価者の主観によらない、従来の圧縮映像情報の評価方法としては、例えば特許文献２に記載された技術が挙げられる。特許文献２に記載されたディジタル圧縮・再生画像の画質評価装置は、原動画データと原動画データを一旦圧縮・再生した再生画像データとから、重み付きＳ／Ｎ比等を自動算出する。
【特許文献１】特開２００１−１２８１６８号公報
【特許文献２】特開平８−２０５１５６号公報
【発明の開示】
【発明が解決しようとする課題】
【０００７】
しかしながら、特許文献１および２記載の発明には、以下のような課題がある。
まず、特許文献１記載の発明は、前述の通り評価者の主観による評価を行うものであるから、評価者毎に評価結果がばらついたり、同一の評価者であっても評価を継続するうちに評価判断が揺らいだりしてしまう場合があるという課題がある。
また、人の知覚のみに頼った評価であるため、オリジナル映像と圧縮映像情報の再生映像との違いを厳密に検出することが困難であるという課題がある。
【０００８】
他方、特許文献２記載の発明は、評価を画質評価装置にて行うことから、客観的な評価を行えるものの、その評価と、人が感じる画質の評価との間に乖離が生じる場合があるという課題がある。
なお、この点、特許文献２記載の発明においては、被験者を使って経験的に求められた特性である劣化度特性Ｚを用いて相対主観評価値を求めるものとしている（特許文献２  図４，段落００２３）が、人は極めて複雑な知覚によって画質を感知しているものであって、その知覚の特性は、特許文献２に開示されたような単純化された特性で正確にシミュレートできるものではない。
【０００９】
本発明は上記課題を解決すべくなされ、その目的とするところは、客観的な評価と主観的な評価とを同時に行って、人間の知覚を使いながらばらつきが少ない正確な評価を行うことが可能な圧縮映像情報の品質評価支援装置および品質評価支援プログラムを提供することにある。
【課題を解決するための手段】
【００１０】
本発明に係る圧縮映像情報の品質評価支援装置は、上記課題を解決するために、以下の構成を備える。すなわち、オリジナル映像と、該オリジナル映像をエンコーダで圧縮して得られた圧縮映像情報を再生した再生映像とを比較して、圧縮映像情報の品質を評価するのに用いられる圧縮映像情報の品質評価支援装置において、ディスプレイと、前記圧縮映像情報を再生して前記ディスプレイの一部に表示させる圧縮映像再生手段と、該圧縮映像再生手段により再生されている再生映像と前記オリジナル映像とをリアルタイムに比較するとともに、該比較の結果をリアルタイムに前記ディスプレイの一部に表示させる映像比較手段とを備えることを特徴とする。
これによれば、映像比較手段によりオリジナル映像と圧縮映像情報の再生映像とを比較できるとともに、ユーザーは、再生映像を見ながら、映像比較手段による客観的な比較結果をリアルタイムに確認でき、主観的な評価と客観的な評価とを同時に加味して評価を行うことができる。これにより、人間の知覚を使いながらばらつきが少ない正確な評価を行うことができる。
【００１１】
さらに、前記オリジナル映像および前記再生映像は動画であることを特徴とする。
【００１２】
さらに、前記再生映像と前記オリジナル映像との同期タイミングを、ユーザーが設定可能な同期設定手段を備え、前記映像比較手段は、前記同期設定手段による同期タイミングの設定変更にリアルタイムに追随して、該設定がなされた前記再生映像と前記オリジナル映像とを比較するとともに該比較の結果を前記ディスプレイの一部に表示させることを特徴とする。
これによれば、ユーザーは、同期設定手段によって再生映像とオリジナル映像との同期タイミングを調節しつつ、その調節時における再生映像とオリジナル映像との相違を映像比較手段による比較結果で確認できるため、その相違が小さくなるよう調節を繰り返し行うことで、同期タイミングを正確に調整することができる。これにより、エンコーダによる圧縮時に再生開始タイミング等、映像のタイミングにずれが発生した場合でも、そのずれを除外して純粋な圧縮映像情報の品質を評価することができる。
【００１３】
また、前記オリジナル映像および前記再生映像のうちの少なくとも一方の、前記比較の対象となる画郭を、ユーザーが設定可能な画郭設定手段を備え、前記映像比較手段は、前記画郭設定手段による前記画郭の設定変更にリアルタイムに追随して、画郭内の前記再生映像と前記オリジナル映像とを比較するとともに該比較の結果を前記ディスプレイの一部に表示させることを特徴とする。
これによれば、ユーザーは、画郭設定手段によって再生映像およびオリジナル映像のうちの少なくとも一方の画郭を調節しつつ、その調節時における再生映像とオリジナル映像との相違を映像比較手段による比較結果で確認できるため、その相違が小さくなるよう調節を繰り返し行うことで、両映像の画郭の整合を正確に調節することができる。これにより、エンコーダによる圧縮時に画郭にずれが発生した場合でも、そのずれを除外して純粋な圧縮映像情報の品質を評価することができる。
【００１４】
また、前記オリジナル映像および前記再生映像のうちの少なくとも一方の、輝度、明度および色彩のうちの少なくとも一つを、ユーザーが設定可能な輝度・明度・色彩設定手段を備え、前記映像比較手段は、前記輝度・明度・色彩設定手段による前記輝度、明度および色彩のうちの少なくとも一つの設定変更に、リアルタイムに追随して、該設定がなされた前記再生映像と前記オリジナル映像とを比較するとともに該比較の結果を前記ディスプレイの一部に表示させることを特徴とする。
これによれば、ユーザーは、輝度・明度・色彩設定手段によって再生映像およびオリジナル映像のうちの少なくとも一方の輝度、明度および色彩のうちの少なくとも一つを調節しつつ、その調節時における再生映像とオリジナル映像との相違を映像比較手段による比較結果で確認できるため、両映像の輝度、明度および色彩のうちの少なくとも一つを合わせこむ調節を正確に行うことができる。これにより、エンコーダによる圧縮時に輝度・明度・色彩にバイアスが掛かった場合でも、そのバイアスを除外して純粋な圧縮映像情報の品質を評価することができる。
【００１５】
また、前記オリジナル映像を、前記圧縮映像再生手段による前記圧縮映像情報の再生と同時に、前記ディスプレイの一部に表示させるオリジナル映像表示手段を備えることを特徴とする。
これによれば、ユーザーは、再生映像とオリジナル映像とを見比べながら、映像比較手段による客観的な比較結果をリアルタイムに確認でき、主観的な評価と客観的な評価とを同時に加味して評価を行うことができる。これにより、人間の知覚を使いながら、よりばらつきが少ない正確な評価を行うことができる。
【００１６】
また、前記映像比較手段は、前記再生映像と前記オリジナル映像との輝度、明度および色彩のうちの一つをピクセル単位で比較し、各ピクセルの輝度、明度および色彩のうちの少なくとも一つの違いを、前記比較の結果を表示する前記ディスプレイ上における、対応する所定のピクセルの輝度、明度および色彩のうちの少なくとも一つの違いにより表示させることができるよう設けられていることを特徴とする。
これによれば、再生映像とオリジナル映像とをピクセル単位で比較して、相違を正確に検出して評価を行うことができる。
【００１７】
また、前記映像比較手段は、前記再生映像および前記オリジナル映像を構成する原色毎に、映像の比較をすることができるよう設けられていることを特徴とする。
これによれば、再生映像とオリジナル映像とを、原色毎に比較して、相違を正確に検出して評価を行うことができる。
【００１８】
また、本発明に係る圧縮映像情報の品質評価支援プログラムは、上記課題を解決するために、以下の構成を備える。すなわち、オリジナル映像と、該オリジナル映像をエンコーダで圧縮して得られた圧縮映像情報を再生した再生映像とを比較して、圧縮映像情報の品質を評価するのに用いられ、ディスプレイを有するコンピュータに読み取り可能な圧縮映像情報の品質評価支援プログラムにおいて、前記圧縮映像情報を再生して前記ディスプレイの一部に表示させる圧縮映像再生機能と、該圧縮映像再生機能により再生されている再生映像と前記オリジナル映像とをリアルタイムに比較するとともに、該比較の結果をリアルタイムに前記ディスプレイの一部に表示させる映像比較機能とを、コンピュータに実現させることを特徴とする。
これによれば、映像比較機能によりオリジナル映像と圧縮映像情報の再生映像とを比較できるとともに、ユーザーは、再生映像を見ながら、映像比較機能による客観的な比較結果をリアルタイムに確認でき、主観的な評価と客観的な評価とを同時に加味して評価を行うことができる。これにより、人間の知覚を使いながらばらつきが少ない正確な評価を行うことができる。
【００１９】
さらに、前記オリジナル映像および前記再生映像は動画であることを特徴とする。
【００２０】
さらに、前記再生映像と前記オリジナル映像との同期タイミングを、ユーザーが設定可能な同期設定機能を、コンピュータに実現させ、前記映像比較機能は、前記同期設定機能による同期タイミングの設定変更にリアルタイムに追随して、該設定がなされた前記再生映像と前記オリジナル映像とを比較するとともに該比較の結果を前記ディスプレイの一部に表示させることを特徴とする。
これによれば、ユーザーは、同期設定機能によって再生映像とオリジナル映像との同期タイミングを調節しつつ、その調節時における再生映像とオリジナル映像との相違を映像比較機能による比較結果で確認できるため、その相違が小さくなるよう調節を繰り返し行うことで、同期タイミングを正確に調整することができる。これにより、エンコーダによる圧縮時に再生開始タイミング等、映像のタイミングにずれが発生した場合でも、そのずれを除外して純粋な圧縮映像情報の品質を評価することができる。
【００２１】
また、前記オリジナル映像および前記再生映像のうちの少なくとも一方の、前記比較の対象となる画郭を、ユーザーが設定可能な画郭設定機能を、コンピュータに実現させ、
前記映像比較機能は、前記画郭設定機能による前記画郭の設定変更にリアルタイムに追随して、画郭内の前記再生映像と前記オリジナル映像とを比較するとともに該比較の結果を前記ディスプレイの一部に表示させることを特徴とする。
これによれば、ユーザーは、画郭設定機能によって再生映像およびオリジナル映像のうちの少なくとも一方の画郭を調節しつつ、その調節時における再生映像とオリジナル映像との相違を映像比較機能による比較結果で確認できるため、その相違が小さくなるよう調節を繰り返し行うことで、両映像の画郭の整合を正確に調節することができる。これにより、エンコーダによる圧縮時に画郭にずれが発生した場合でも、そのずれを除外して純粋な圧縮映像情報の品質を評価することができる。
【００２２】
また、前記オリジナル映像および前記再生映像のうちの少なくとも一方の輝度、明度および色彩のうちの少なくとも一つを、ユーザーが設定可能な輝度・明度・色彩設定機能を、コンピュータに実現させ、前記映像比較機能は、前記輝度・明度・色彩設定機能による前記輝度、明度および色彩のうちの少なくとも一つの設定変更にリアルタイムに追随して、該設定がなされた前記再生映像と前記オリジナル映像とを比較するとともに該比較の結果を前記ディスプレイの一部に表示させることを特徴とする。
これによれば、ユーザーは、輝度・明度・色彩設定機能によって再生映像およびオリジナル映像のうちの少なくとも一方の輝度、明度および色彩のうちの少なくとも一つを調節しつつ、その調節時における再生映像とオリジナル映像との相違を映像比較機能による比較結果で確認できるため、両映像の輝度、明度および色彩のうちの少なくとも一つを合わせこむ調節を正確に行うことができる。これにより、エンコーダによる圧縮時に輝度・明度・色彩にバイアスが掛かった場合でも、そのバイアスを除外して純粋な圧縮映像情報の品質を評価することができる。
【００２３】
また、前記オリジナル映像を、前記圧縮映像再生機能による前記圧縮映像情報の再生と同期させて、前記ディスプレイの一部に表示させるオリジナル映像表示機能を、コンピュータに実現させることを特徴とする。
これによれば、ユーザーは、再生映像とオリジナル映像とを見比べながら、映像比較機能による客観的な比較結果をリアルタイムに確認でき、主観的な評価と客観的な評価とを同時に加味して評価を行うことができる。これにより、人間の知覚を使いながら、よりばらつきが少ない正確な評価を行うことができる。
【００２４】
また、前記映像比較機能は、前記再生映像と前記オリジナル映像との輝度、明度および色彩のうちの少なくとも一つをピクセル単位で比較し、各ピクセルの輝度、明度および色彩のうちの少なくとも一つの違いを、前記比較の結果を表示する前記ディスプレイ上における、対応する所定のピクセルの輝度、明度および色彩のうちの少なくとも一つの違いにより表示させることができるよう設けられていることを特徴とする。
これによれば、再生映像とオリジナル映像とをピクセル単位で比較して、相違を正確に検出して評価を行うことができる。
【００２５】
また、前記映像比較機能は、前記再生映像および前記オリジナル映像を構成する原色毎に、映像の比較をすることができるよう設けられていることを特徴とする。
これによれば、再生映像とオリジナル映像とを、原色毎に比較して、相違を正確に検出して評価を行うことができる。
【発明の効果】
【００２６】
本発明に係る圧縮映像情報の品質評価支援装置および品質評価支援プログラムによれば、客観的な評価と主観的な評価とを同時に行って、人間の知覚を使いながらばらつきが少ない正確な評価を行うことができる。
【発明を実施するための最良の形態】
【００２７】
以下、本発明に係る品質評価支援装置および品質評価支援プログラムを実施するための最良の形態を説明する。
図１は、本実施の形態に係る圧縮映像情報の品質評価支援装置の構成を示すブロック図である。本実施の形態に係る圧縮映像情報の品質評価支援装置は、本体１とディスプレイ２と入力装置４とを有するコンピュータＣにより構成される。
【００２８】
コンピュータＣの入力装置４は、キーボードやマウス等の、コンピュータ本体１の制御部６に対してユーザーが情報を入力可能な装置である。
コンピュータＣのディスプレイ２は、液晶ディスプレイやＣＲＴ等の、コンピュータ本体１からの信号に応じて情報を表示可能な装置である。
【００２９】
コンピュータ本体１の制御部６は、ＣＰＵやメモリ等を含む電子回路から成り、ソフトウェアプログラムを実行して様々な機能を実現可能に設けられる。
コンピュータＣのハードディスクには、本発明に係る圧縮映像情報の品質評価支援プログラムＰがコンピュータ読み取り可能に記憶（インストール）されている。図１においては便宜的に、制御部６が実行する圧縮映像情報の品質評価支援プログラムＰと、圧縮映像情報の品質評価支援プログラムＰが制御部６により実行されることで実現される各手段（機能）Ｐ１〜Ｐ７とを、制御部６の内部に図示している。
【００３０】
コンピュータＣの本体１は、ビデオ再生装置やビデオカメラ等の映像出力装置Ｖから映像情報（映像信号）を受信して、その映像情報を制御部６に入力し、または、映像情報をオリジナル映像情報Ｏとして記憶手段８に記憶させる映像入力手段１０を備える。なお、コンピュータ本体１の記憶手段８は、メモリやハードディスク等の記憶手段を示している。
【００３１】
また、コンピュータＣのハードディスクには、ＭＰＥＧ２エンコーダ等の複数種類のエンコーダ（エンコーダプログラム）ａ，ｂがコンピュータ読み取り可能に記憶（インストール）されている。エンコーダａ，ｂは、制御部６で実行されることで、映像入力手段１０から入力された映像情報（オリジナル映像）を圧縮して圧縮映像情報（例えばＭＰＥＧ２ファイル）Ａ，Ｂを生成し、記憶手段８に記憶させる処理を行う。また、映像入力手段１０から入力された映像情報を直接圧縮するのみでなく、記憶手段８に記憶されたオリジナル映像情報Ｏを圧縮して圧縮映像情報Ａ，Ｂを生成することもできるよう構成する。
【００３２】
なお、本発明に係る圧縮映像情報の品質評価支援装置へのオリジナル映像の入力は、映像入力手段１０を介した入力に限定されるものではない。例えば、光ディスク装置等の外部記憶手段からオリジナル映像の情報を読み取ったり、ネットワークを通じて他のコンピュータ等からオリジナル映像の情報を受信したりするよう構成してもよい。
また、本発明に係る圧縮映像情報の品質評価支援装置は、必ずしもエンコーダを備えている必要はなく、他の装置のエンコーダで生成された圧縮映像情報を入力可能に設けてもよい。
【００３３】
以下、圧縮映像情報の品質評価支援プログラムＰが制御部６により実行されることで実現される各手段（機能）Ｐ１〜Ｐ７について説明する。
【００３４】
圧縮映像再生手段（圧縮映像再生機能）Ｐ１は、記憶手段８から圧縮映像情報Ａ，Ｂを読み出してそれを解凍して映像として再生し、後述する画面構成手段Ｐ４を介してその再生映像をディスプレイ２の一部に表示させる。また、再生した映像情報を後述する映像比較手段Ｐ３に入力する。なお、本願において、圧縮映像再生手段（圧縮映像再生機能）により再生した映像を「再生映像」と呼ぶ。
【００３５】
オリジナル映像表示手段（オリジナル映像表示機能）Ｐ２は、映像入力手段１０から入力されたオリジナル映像に係る映像情報を再生し、後述する画面構成手段Ｐ４を介してその映像をディスプレイ２の一部に表示させる。また、再生した映像情報を後述する映像比較手段Ｐ３に入力する。
なお、オリジナル映像表示手段Ｐ２は、記憶手段８に記憶されたオリジナル映像情報Ｏを再生して表示させることもできる。
【００３６】
圧縮映像再生手段Ｐ１とオリジナル映像表示手段Ｐ２とは、互いに同期を取って、再生映像とオリジナル映像とを、同時に再生させることができる。また、各映像を互いに同期させたまま一時停止、フレーム（コマ）送り再生、早送り再生、巻き戻し再生、スロー再生といった各種の再生方法を、ユーザーに選択させて選択的に行うことができる。
なお、圧縮映像再生手段Ｐ１とオリジナル映像表示手段Ｐ２との同期のタイミングは、後述する同期設定手段Ｐ５によってユーザーが調節することもできるよう設けられる。
【００３７】
映像比較手段（映像比較機能）Ｐ３は、圧縮映像再生手段Ｐ１により再生されて入力された再生映像と、オリジナル映像表示手段Ｐ２により再生されて入力されたオリジナル映像とをリアルタイムに比較するとともに、その比較の結果を、リアルタイムに、後述する画面構成手段Ｐ４を介してディスプレイ２の一部に表示させる。
映像比較手段Ｐ３が行う再生映像とオリジナル映像との比較としては、再生映像とオリジナル映像との間のＰＳＮＲやＳＮＲを算出したり、再生映像とオリジナル映像との輝度、明度および色彩をピクセル単位で比較したりする。また、それらの比較を、再生映像およびオリジナル映像を構成する原色のＲ（Ｒｅｄ）、Ｇ（Ｇｒｅｅｎ）、Ｂ（Ｂｌｕｅ）毎にも行えるよう構成する。
【００３８】
画面構成手段（画面構成機能）Ｐ４は、ユーザーインタフェースとしての、ディスプレイ２に出力する出力画面を構成する機能を有する。
図２に、画面構成手段Ｐ４が構成する出力画面Ｄを示す。
出力画面Ｄにおいて、２２は、オリジナル映像表示手段Ｐ２から入力されたオリジナル映像を表示する部分である。２４は、圧縮映像再生手段Ｐ１から入力された再生映像を表示する部分である。
【００３９】
出力画面Ｄの右半分の領域２６は、映像比較手段Ｐ３から入力された比較の結果を表示する部分である。
領域２６において、２７は、再生映像とオリジナル映像との明度の差をピクセル単位で比較し、各ピクセルの明度の差を、対応するピクセルの明度の違いにより表現して表示させた差分表示部分である。なお、画面構成手段Ｐ４は、ユーザーによる入力装置４への所定操作により、このピクセル単位の明度の差を原色毎に比較した結果の表示と切り替えることもできるよう構成される。
領域２６において、２８は、再生映像とオリジナル映像との間の映像全体の明度の差を時系列に示したグラフを表示するグラフ表示部分である。グラフ表示部分２８において、４本のグラフが表示されているが、下に表示された３本のグラフは、再生映像とオリジナル映像との間の明度の差を、原色Ｒ（Ｒｅｄ）、Ｇ（Ｇｒｅｅｎ）、Ｂ（Ｂｌｕｅ）毎に算出した結果を、各原色毎にグラフ化したものである。また、一番上に表示されたグラフは、３原色を合わせた、再生映像とオリジナル映像との間の明度の差をグラフ化したものである。
【００４０】
領域２６において、３０ａ，３０ｂ，３０ｃは、再生映像とオリジナル映像との間のＰＳＮＲを表示した部分である。３０ａは、オリジナル映像の表示部分２２と再生映像の表示部分２４とに表示されている映像のＰＳＮＲをリアルタイムに表示する部分であり、３０ｂは動画全体の平均値を、３０ｃは最悪値を表示する部分である。
また、「Ｒｅｄ  Ｄｉｆｆ．」、「Ｇｒｅｅｎ  Ｄｉｆｆ．」、「Ｂｌｕｅ  Ｄｉｆｆ．」と表示された箇所は、それぞれＰＳＮＲをＲＧＢの各原色毎にとった結果を表示したものである。
【００４１】
映像比較手段Ｐ３は、再生画像とオリジナル画像とをリアルタイムに比較して、比較の結果を画面構成手段Ｐ４に送って出力画面Ｄに表示させるため、オリジナル映像の表示部分２２と再生映像の表示部分２４とに表示されている映像の比較の結果は、差分表示部分２７、グラフ表示部分２８、およびＰＳＮＲの表示部分３０ａに直ちに反映されて表示される。
【００４２】
これにより、ユーザーは、再生映像を見ながら、映像比較手段Ｐ３による客観的な比較結果をリアルタイムに確認でき、再生映像の評価を、主観的な評価と客観的な評価とを同時に加味して行うことができる。これにより、人間の知覚を使いながらばらつきが少ない正確な評価を行うことができる。
また、再生映像とオリジナル映像とその比較結果とが同時に表示されるから、再生映像とオリジナル映像とを同時に見比べて主観的な違いを評価しながら、その評価と映像比較手段Ｐ３による客観的な比較結果とを勘案できるため、主観のみに流されず正確な評価を行うことができる。
さらに、再生映像とオリジナル映像とを、ピクセル単位でかつ原色毎に比較して、相違を正確に検出して評価を行うことができる。
【００４３】
同期設定手段Ｐ５は、動画の再生映像とオリジナル映像との同期タイミングを、ユーザーに設定可能とする手段である。
同期設定手段Ｐ５は、出力画面Ｄ上のボタン３２または３４がユーザーにより操作されると、オリジナル映像表示手段Ｐ２または圧縮映像再生手段Ｐ１に信号を送信して、それぞれオリジナル映像または再生映像を独立してフレーム送り（コマ送り）させる。この際、映像比較手段Ｐ３は、同期設定手段Ｐ５による同期タイミングの設定変更にリアルタイムに追随して、設定がなされた再生映像とオリジナル映像とを比較するとともにその比較の結果を画面構成手段Ｐ４を介してディスプレイ２に表示させる。
【００４４】
ユーザーは、例えば、再生映像とオリジナル映像とを一時停止した状態で、入力装置４を介してボタン３２および３４を操作することで、再生映像およびオリジナル映像を独立してフレーム送り（コマ送り）することができる。この際、ユーザーは、各フレーム毎に、差分表示部分２７、グラフ表示部分２８、およびＰＳＮＲの表示部分３０ａにより、両映像の相違を確認することができる。そして、差分表示部分２７およびグラフ表示部分２８による両画面の相違が最も小さくなり（すなわち、差分表示部分２７が最も暗くなり、グラフ表示部分２８のグラフの示す値が小さくなり）、ＰＳＮＲの表示部分３０ａに表示されるＰＳＮＲが最大となるよう、フレーム送り数を調節することで、両映像の同期を正確に取ることができる。
なお、一時停止した状態でフレーム送りする操作に限らず、ユーザーは、両映像を再生した状態でボタン３２および３４を操作することでいずれかの映像をフレーム単位で早送りまたは逆戻りさせて、再生しながら同期タイミングを調節してもよい。この場合でも映像比較手段Ｐ３による比較の結果は、動画と同期してリアルタイムに出力画面Ｄに表示される。
【００４５】
同期設定手段Ｐ５により、エンコーダａ，ｂによる圧縮時に再生開始タイミング等、映像のタイミングにずれが発生した場合でも、ユーザーは、そのずれを除外するよう正確に同期を調節し、純粋な圧縮映像情報の品質を評価することができる。
【００４６】
画郭設定手段Ｐ６は、再生映像の、映像比較手段Ｐ３による比較の対象となる画郭を、ユーザーに設定可能とする手段である。
画郭設定手段Ｐ６は、出力画面Ｄ上のボタン３６が入力装置４を介してユーザーにより操作されると、圧縮映像再生手段Ｐ１に信号を送信して、再生した再生映像が、ユーザーにより設定された画郭となるよう、再生映像をピクセル単位でトリミングさせたり、範囲をずらさせたりする。この際、映像比較手段Ｐ３は、画郭設定手段Ｐ６による画郭の設定変更にリアルタイムに追随して、設定がなされた再生映像とオリジナル映像とを比較するとともにその比較の結果を画面構成手段Ｐ４を介してディスプレイ２に表示させる。
ユーザーは、同期設定手段Ｐ５のときと同様に、画郭を調節しながら、その結果を、差分表示部分２７、グラフ表示部分２８、ＰＳＮＲの表示部分３０ａで確認することができるため、画郭を正確に調節することができる。
【００４７】
画郭設定手段Ｐ６により、エンコーダａ，ｂによる圧縮時に画郭にずれが発生した場合でも、ユーザーは、そのずれを除外するよう画郭を正確に調節して純粋な圧縮映像情報の品質を評価することができる。
【００４８】
輝度・明度・色彩設定手段Ｐ７は、再生映像の、輝度、明度および色彩を、ユーザーが設定可能とする手段である。
輝度・明度・色彩設定手段Ｐ７は、入力装置４を介したユーザーの所定の操作により、圧縮映像再生手段Ｐ１に信号を送信して、再生した再生映像の輝度・明度・色彩を調節させる。この際、映像比較手段Ｐ３は、輝度・明度・色彩設定手段Ｐ７による輝度、明度および色彩の設定変更にリアルタイムに追随して、設定がなされた再生映像とオリジナル映像とを比較するとともにその比較の結果を画面構成手段Ｐ４を介してディスプレイ２に表示させる。
ユーザーは、同期設定手段Ｐ５および画郭設定手段Ｐ６のときと同様に、輝度、明度および色彩を調節しながら、その結果を、差分表示部分２７、グラフ表示部分２８、ＰＳＮＲの表示部分３０ａで確認することができるため、輝度、明度および色彩を正確に調節することができる。
【００４９】
これにより、エンコーダによる圧縮時に輝度・明度・色彩にバイアスが掛かった場合でも、ユーザーは、そのバイアスを除外するよう調節して純粋な圧縮映像情報の品質を評価することができる。
特に、映像比較手段Ｐ３により、特定の原色が強いなどのバイアスが検出されたり、画面の輝度や明度が異なる際に、輝度・明度・色彩設定手段Ｐ７により調節を行って比較をすれば、色彩のバイアスや明度や輝度の違いを除去した、純粋な画質の比較結果を得ることができる。
【図面の簡単な説明】
【００５０】
【図１】本発明に係る圧縮映像情報の品質評価支援装置および品質評価支援プログラムの構成を示す説明図である。
【図２】本発明に係る圧縮映像情報の品質評価支援装置のディスプレイに表示され、または、コンピュータにより品質評価支援プログラムが実行されることによりコンピュータのディスプレイに表示される出力画面を示す図である。
【符号の説明】
【００５１】
Ｃ  コンピュータ（圧縮映像情報の品質評価支援装置）
Ｐ  圧縮映像情報の品質評価支援プログラム
Ｐ１  圧縮映像再生手段
Ｐ２  オリジナル映像表示手段
Ｐ３  映像比較手段
Ｐ４  画面構成手段
Ｐ５  同期設定手段
Ｐ６  画郭設定手段
Ｐ７  輝度・明度・色彩設定手段
Ａ，Ｂ  圧縮映像情報
Ｏ  オリジナル映像情報
Ｄ  出力画面
Ｖ  映像出力装置
ａ，ｂ  エンコーダ
１  コンピュータ本体
２  ディスプレイ
４  入力装置
６  制御部
８  記憶手段
１０  映像入力手段
２２  オリジナル映像の表示部分
２４  再生映像の表示部分
２７  差分表示部分
２８  グラフ表示部分
３０ａ，３０ｂ，３０ｃ  ＰＳＮＲの表示部分
【図１】
2006166130.tif 000003
【図２】
2006166130.tif 000004